(57)【要約】【課題】  本発明は魚釣り用浮きに関し、実釣時に浮き本体の下部に取り付く仕掛け止着部が岩や防波堤等に衝突しても、仕掛け止着部が破損することなく耐衝撃性に優れた魚釣り用浮きを提供することを目的とする。【解決手段】  請求項１に係る発明は、浮き本体の下部に仕掛け止着部を取り付けた魚釣り用浮きに於て、前記仕掛け止着部を、弾性部材を介して浮き本体の内方へ移動可能に取り付けたことを特徴とする。そして、請求項２に係る発明は、請求項１に記載の魚釣り用浮きに於て、前記仕掛け止着部はこれを支持する支持部材に取り付き、当該支持部材は、浮き本体内の軸方向に挿着されたガイド部材に挿通していることを特徴とする。【選択図】    図３
2007312701.tif 000002
【特許請求の範囲】
【請求項１】
浮き本体の下部に仕掛け止着部を取り付けた魚釣り用浮きに於て、
前記仕掛け止着部を、弾性部材を介して浮き本体の内方へ移動可能に取り付けたことを特徴とする魚釣り用浮き。
【請求項２】
前記仕掛け止着部はこれを支持する支持部材に取り付き、当該支持部材は、浮き本体内の軸方向に挿着されたガイド部材に挿通していることを特徴とする請求項１に記載の魚釣り用浮き。
【発明の詳細な説明】
【技術分野】
【０００１】
本発明は、魚釣りに用いる浮きに関する。
【背景技術】
【０００２】
魚釣り用の浮きは、対象となる魚種や好みに応じて、棒浮きや玉浮きといった各種形状のものが使用されているが、一般的に浮きは、所定の浮力を備えた浮き本体の下部に、仕掛け（釣糸）を取り付けるスイベル等の釣糸取付環（仕掛け止着部）が設けられた構造となっている。
そして、特許文献１には、図６に示すように上部に道糸取付孔１を有する浮き本体３の下部に、常時伸長し、釣針５に魚のかかった時のみ圧縮されるコイルスプリング７を用いたハリス緩衝機構９を内装した筒体１１を着脱自在に固定した浮き１３が開示されており、斯かる浮き１３によれば、魚が釣針５に掛かった際に生ずるハリス１５の引張力をハリス緩衝機構９が緩和してハリス切れを防止することが可能である。
【０００３】
尚、図６中、１７は前記コイルスプリング７と共にハリス緩衝機構９を構成する摺動杆で、その上端は座金１９を介してコイルスプリング７に接続され、下端には前記筒体１１の下部から突出する釣糸取付環２１が設けられて、ハリス１５が接続されている。
このように、従来、釣果の向上を図るため、この種の浮きに関し多くの提案がなされている。
【特許文献１】実開昭４９−３０４８７号公報
【発明の開示】
【発明が解決しようとする課題】
【０００４】
しかし乍ら、実釣時に仕掛けを投げ入れる際、または魚を釣り上げる際に浮きが水辺の岩や防波堤等に当たることが多く、この時に浮き本体の下部に取り付く釣糸取付環（仕掛け止着部）が岩や防波堤等に衝突して、釣糸取付環が潰れたり破損して使用できなくなる虞があった。
また、金属製の取付具を介して釣糸取付環を浮き本体に固着することもあるが、浮き本体を樹脂で形成した場合、釣糸取付環が岩等に当たった衝撃で、金属製の取付具が取り付く部位の浮き本体自身にひびが入ってしまう虞もあった。
【０００５】
本発明は斯かる実情に鑑み案出されたもので、実釣時に、浮き本体の下部に取り付く仕掛け止着部が岩や防波堤等に衝突しても、仕掛け止着部が破損することなく耐衝撃性に優れた魚釣り用浮きを提供することを目的とする。
【課題を解決するための手段】
【０００６】
斯かる目的を達成するため、請求項１に係る発明は、浮き本体の下部に仕掛け止着部を取り付けた魚釣り用浮きに於て、前記仕掛け止着部を、弾性部材を介して浮き本体の内方へ移動可能に取り付けたことを特徴とする。
そして、請求項２に係る発明は、請求項１に記載の魚釣り用浮きに於て、前記仕掛け止着部はこれを支持する支持部材に取り付き、当該支持部材は、浮き本体内の軸方向に挿着されたガイド部材に挿通していることを特徴とする。
【発明の効果】
【０００７】
各請求項に係る発明によれば、仕掛け止着部を弾性部材を介して浮き本体の内方へ移動可能に取り付けたので、実釣時に浮きが岩や防波堤等に当たって仕掛け止着部に力が加わると、仕掛け止着部が弾性部材の弾性力に抗して内方へ移動すると同時に、弾性部材が変形し乍ら仕掛け止着部に加わった力を吸収するので、浮きが岩や防波堤等に当たっても、仕掛け止着部の破損や変形を防止することができると共に、仕掛け止着部が取り付く浮き本体の下端部位のひび割れ等も防止でき、この結果、長期に亘って浮きを破損させることなく使用することができる利点を有する。
【０００８】
そして、請求項２に係る発明によれば、仕掛け止着部が取り付く支持部材がガイド部材に沿って移動するため、仕掛け止着部の移動がスムーズである利点を有する。
【発明を実施するための最良の形態】
【０００９】
以下、本発明の実施形態を図面に基づいて詳細に説明する。
図１乃至図３は請求項１及び請求項２に係る発明を棒浮きに適用した一実施形態を示し、図１中、２３は樹脂で形成された浮き本体で、浮き本体２３はトップ２５とこれよりも大径に形成された胴２７とからなり、胴２７の下部に金属製の釣糸取付環（仕掛け止着部）２９が取り付いて、本実施形態に係る魚釣り用浮き（以下、「浮き」という）３１が構成されている。
【００１０】
図２は釣糸取付環２９の取付構造を示し、図中、３３は胴２７と中心軸を同じくしてその下端に形成された断面円形状の凹部で、当該凹部３３は胴２７の略1/3の寸法に亘って形成されている。そして、その開口側の周壁３５に、凹部３３と中心軸を同じくして樹脂のパイプからなるライナー（ガイド部材）３７が接着剤で固着されており、図示するようにライナー３７の下端は凹部３３の開口周縁部と面一とされている。
【００１１】
そして、前記ライナー３７内を、軽量な金属材料または樹脂材料で形成された有底筒状の支持部材３９が移動可能に挿通しており、ライナー３７から突出する支持部材３９の底部に係止孔４１が開口している。
一方、前記釣糸取付環２９は、環体２９ａの外周に取付脚２９ｂが突設されており、当該取付脚２９ｂが前記係止孔４１に回転可能に係止して、支持部材３９（浮き本体２３）の下端に釣糸取付環２９が回転可能に取り付いた構造となっている。
【００１２】
また、支持部材３９の上部はライナー３７から上方へ突出し、その外周に、ライナー３７の端部に当接する環状のストッパ（抜止め栓）４３が接着剤で固着されており、当該ストッパ４３によって、ライナー３７（浮き本体２３）からの支持部材３９の抜け止めが図られている。
更に、前記凹部３３の奥部には、粘弾性やゴム弾性を有する天然ゴムや合成樹脂（例えば、合成ゴム），伸縮性のある発泡体等の弾性材料からなる弾性パイプ（弾性部材）４５が、凹部３３と中心軸を同じくして変形自在に収納されており、弾性パイプ４５の上部は凹部３３の底部３３ａに接着されている。尚、弾性パイプ４５を凹部３３に接着させなくてもよい。
【００１３】
そして、弾性パイプ４５に前記ストッパ４３が当接すると共に、当該弾性パイプ４５内に支持部材３９の上端側が圧入した構造となっており、図３に示すように浮き３１の下方から釣糸取付環２９に矢印方向の力Ｆが加わると、ライナー３７に沿って釣糸取付環２９が支持部材３９と共に弾性パイプ４５の弾性力に抗して凹部３３の内方へ移動すると同時に、弾性パイプ４５が変形し乍ら釣糸取付環２９に加わった力Ｆを吸収するようになっている。
【００１４】
本実施形態に係る浮き３１はこのように構成されており、従来の浮きと同様、実釣に当たって釣糸取付環２９に仕掛けを接続（固定）または挿通させればよく、仕掛けを釣糸取付環２９に挿通させた場合、仕掛けに沿って浮き３１が移動する。
そして、実釣時に浮き３１が岩や防波堤等に当たって、図３の如く釣糸取付環２９に力Ｆが加わると、既述したようにライナー３７に沿って釣糸取付環２９が支持部材３９と共に弾性パイプ４５の弾性力に抗して内方へ移動すると同時に、弾性パイプ４５が変形し乍ら釣糸取付環２９に加わった力Ｆを吸収して、釣糸取付環２９の破損や変形を防止すると共に、浮き本体２３のひび割れを防止することとなる。
【００１５】
このように、本実施形態は、実釣時に浮き３１が岩や防波堤等に当たって釣糸取付環２９に力Ｆが加わると、ライナー３７に沿って釣糸取付環２９が支持部材３９と共に弾性パイプ４５の弾性力に抗して内方へ移動すると同時に、弾性パイプ４５が変形し乍ら釣糸取付環２９に加わった力Ｆを吸収するように構成したので、浮き３１が岩や防波堤等に当たっても、釣糸取付環２９の破損や変形を防止することができると共に、釣糸取付環２９が取り付く胴２７の下端部位のひび割れ等も防止でき、この結果、長期に亘って浮き３１を破損させることなく使用することができる利点を有する。
【００１６】
而も、本実施形態は、ライナー３７に沿って支持部材３９を移動可能としたので、支持部材３９と釣糸取付環２９の移動がスムーズである。
尚、前記実施形態は、釣糸取付環２９を支持部材３９に回転可能に取り付けたが、釣糸取付環２９を回転不能に支持部材３９に固着してもよいし、前記弾性パイプ４５に代え、弾性部材としてコイルスプリングを使用してもよく、これらの構成によっても、前記実施形態と同様、所期の目的を達成することが可能である。
【００１７】
また、棒浮きに代え、前記実施形態の構成を玉浮きに適用することも可能であり、浮き本体２３をバルサ等の天然木で形成してもよい。
更にまた、仕掛け止着部は前記釣糸取付環２９に限定されるものではない。
図４及び図５は請求項１に係る浮きの一実施形態を示し、本実施形態に係る浮き４７は、浮き本体２３の胴２７に設けた凹部３３内に、その周壁３５との間に若干の間隙４９を空けて、前記弾性パイプ４５と同一材料からなる円柱状の弾性体（弾性部材）５１を凹部３３の底部３３ａから下端側開口に亘って設置すると共に、凹部３３の開口周縁部と面一とされた弾性体５１の先端５３に凹部５５を設けて、当該凹部５５内に、前記実施形態と同一構造で釣糸取付環２９が取り付く筒状の支持部材３９-1を挿着したものである。尚、本実施形態は、弾性体５１が変形し易いように凹部３３の周壁３５との間に若干の間隙４９を空けたが、弾性体の変形に支障を来すことがなければ、必ずしも弾性体と周壁との間に隙間を設ける必要はない。
【００１８】
而して、支持部材３９-1は前記支持部材３９と同一材料で形成され、支持部材３９に比し長手方向が短寸とされている。そして、弾性体５１は、その上部側が凹部３３の周壁３５に接着剤５７で固定されている。
尚、その他の構成は図１の実施形態と同様であるので、同一のものには同一符号を付してそれらの説明は省略する。
【００１９】
本実施形態はこのように構成されているから、実釣時に浮き４７が岩や防波堤等に当たって、図５の如く釣糸取付環２９に力Ｆが加わると、釣糸取付環２９が支持部材３９-1と共に弾性体５１の弾性力に抗して内方へ移動すると同時に、弾性体５１が変形し乍ら釣糸取付環２９に加わった力Ｆを吸収して、釣糸取付環２９の破損や変形を防止すると共に、浮き本体２３のひび割れを防止する。
【００２０】
従って、本実施形態によっても、図１の浮き３１と同様、所期の目的を達成することが可能で、長期に亘って浮き４７を破損させることなく使用することができる利点を有する。
尚、本実施形態に於ても、釣糸取付環２９を回転不能に支持部材３９-1に固着してもよいし、釣糸取付環２９の取付脚２９ｂを直接弾性体５１に埋設して固着してもよい。
【００２１】
また、本実施形態を玉浮きに適用することも可能であり、更に前記弾性体５１に代え、弾性部材としてコイルスプリングを使用してもよく、更にまた、浮き本体２３をバルサ等の天然木で形成してもよい。
【図面の簡単な説明】
【００２２】
【図１】請求項１及び請求項２の一実施形態に係る浮きの正面図である。
【図２】図１に示す浮きの要部拡大断面図である。
【図３】図１に示す浮きの要部拡大断面図である。
【図４】請求項１の一実施形態に係る浮きの要部拡大断面図である。
【図５】請求項１の一実施形態に係る浮きの要部拡大断面図である。
【図６】従来の浮きの要部切欠き正面図である。
【符号の説明】
【００２３】
２３  浮き本体
２５  トップ
２７  胴
２９  釣糸取付環
２９ａ  環体
２９ｂ  取付脚
３１，４７  浮き
３３，５５  凹部
３７  ライナー
３９，３９-1  支持部材
４１  係止部
４３  ストッパ
４５  弾性パイプ
５１  弾性体
【図１】
2007312701.tif 000003
【図２】
2007312701.tif 000004
【図３】
2007312701.tif 000005
【図４】
2007312701.tif 000006
【図５】
2007312701.tif 000007
【図６】
2007312701.tif 000008